(57)【要約】【課題】  本発明は泡ソープ自動ディスペンサーに関し、特に洗剤、シャンプー、ハンドソープ、ボディソープ等の発泡性液体を空気と混合させて微粒泡を生成し、該微粒泡を自動吐出することのできる泡ソープ自動ディスペンサーを提供する。【解決手段】  ソープ液を充填したソープボトルの上部に駆動部ハウジングを嵌着し、該駆動部ハウジング内に固定されたモーターによりエアーポンプを駆動し、該エアーポンプより下方に垂下せるエアー注入管にエアーが圧送され、ソープボトルのボトム凹部に形成された泡創成部内の気液混合部にて泡ソープ液が創成され、創成された泡ソープ液が泡ソープ放出管の中を上昇し、吐出管のメッシュフィルターを経て微細化された泡ソープが吐出口より吐出されるように構成したことを特徴とする泡ソープ自動ディスペンサーである。【選択図】図２
2016043227.tif 000002
【特許請求の範囲】
【請求項１】
ソープ液を充填したソープボトルの上部に駆動部ハウジングを嵌着し、該駆動部ハウジング内に固定されたモーターによりエアーポンプを駆動し、該エアーポンプより下方に垂下せるエアー注入管にエアーが圧送され、ソープボトルのボトム凹部に形成された泡創成部内の気液混合部にて泡ソープ液が創成され、創成された泡ソープ液が泡ソープ放出管の中を上昇し、吐出管のメッシュフィルターを経て微細化された泡ソープが吐出口より吐出されるように構成されたことを特徴とする泡ソープ自動ディスペンサー。
【請求項２】
泡創成部で創成された泡ソープが、エアー注入管の外側の泡ソープ放出管を上昇して吐出管の吐出口より吐出されるように、エアー注入管が泡ソープ放出管の内側に挿入された二重管構造に構成されていることを特徴とする請求項１記載の泡ソープ自動ディスペンサー。
【請求項３】
エアーポンプから圧送されるエアーによって、ソープボトル内の気圧が上昇することにより、泡ソープ液が泡ソープ放出管を上昇して、吐出口より吐出されるように構成されたことを特徴とする請求項１記載の泡ソープ自動ディスペンサー。
【請求項４】
吐出口近傍に取付けられた赤外線センサーによる近接信号によりモーターが始動されて泡ソープが吐出口より吐出され、該近接信号が遮断されるとモーターが停止して泡ソープの吐出が中止されるように構成されたことを特徴とする請求項１記載の泡ソープ自動ディスペンサー。
【請求項５】
泡ソープ放出管の下端部には泡創成部構成カバーが固定されており、該泡創成部構成カバーの下方は開放されており、且つ、該泡創成部構成カバーがボトム凹部の内側に非接触状態に配置されて構成されていることを特徴とする請求項１記載の泡ソープ自動ディスペンサー。
【発明の詳細な説明】
【技術分野】
【０００１】  本発明は泡ソープ自動ディスペンサーに関し、特に洗剤、シャンプー、ハンドソープ、ボディソープ等の発泡性液体を空気と混合させて微粒泡を生成し、該微粒泡を自動吐出することのできる泡ソープ自動ディスペンサーに関するものである。
【背景技術】
【０００２】  従来、頭髪や肌などの身体に用いるシャンプー、ハンドソープ、ボディソープ等の洗浄剤は、泡状で使用することにより適正な洗浄効果が発揮されるものであった。【０００３】  そのためポンプによる泡生成方法、エアゾールによる泡生成方法、電動による泡生成装置やディスペンサーが開発されている。
【先行技術文献】
【特許文献】
【０００４】
【特許文献１】  特開２０１１−１２１８９６号公報
【特許文献２】  特開平９−２９９２７０号公報
【発明の概要】
【発明が解決しようとする課題】
【０００５】  前記せる引用文献の特開２０１１−１２１８９６号公報では、モーターにより回転するスクリューを有する泡発生装置を用い、スクリューの回転により洗浄剤組成物と空気とを混合して洗浄用の泡を生成することを特徴としている。【０００６】  また、前記せる引用文献の特開平９−２９９２７０号号公報では、タンクに貯留された石鹸液をポンプで吸い上げて混合室へ導入し、ポンプの加圧によって混合室の液に気泡を混入しつつムース状にして吐出管から吐出させる手動式のソープディスペンサーである。【０００７】  特許文献１の場合、モータドライブによって泡を発生させて吐出するものであったが、吐出部が原液タンクの真下に位置しており、構造上、起泡室内に泡又はソープ液がいつまでも残存してしまう問題があり、不用意に漏出してしまう問題があった。【０００８】  特許文献２の場合、操作キャップの押圧操作の繰り返しでムース状となった石鹸液を吐出するものであったが、混合室に残存するムース状の石鹸液がムース状に維持されない場合があり、安定したムース状の吐出ができない場合があった。【０００９】  また、市販の他社製品には、液用とエアー用の各ポンプを有する構造のものがあるが、この場合、排出できる泡の量は、そのポンプの容量に限られるものであり、たくさんの泡が必要な場合、何回も同じ動作を繰り返さなければならなかったので、面倒であり、不便であった。【００１０】  なお、ほんの少量が必要な場合も選ぶことは出来ず、ポンプの容量分が勝手に吐き出されるだけであり、連続吐出させることはできず、また、常に一定量の泡を吐出することしかできなかった。【００１１】  これに対して本発明の課題は、センサーの設定（３秒間作動等）によって泡を吐出させることも可能であり、使用料の限定もできるほか、センサー近傍に手をかざしている時間で任意の量を吐出することも可能で、安定した泡ソープを必要に応じて吐出できる泡ソープ自動ディスペンサーを提供することである。
【課題を解決するための手段】
【００１２】  本発明の泡ソープ自動ディスペンサーは、ソープ液を充填したソープボトルの上部に駆動部ハウジングを嵌着し、該駆動部ハウジング内に固定されたモーターによりエアーポンプを駆動し、該エアーポンプより下方に垂下せるエアー注入管にエアーが圧送され、ソープボトルのボトム凹部に形成された泡創成部内の気液混合部にて泡ソープ液が創成され、創成された泡ソープ液が泡ソープ放出管の中を上昇し、吐出管のメッシュフィルターを経て微細化された泡ソープが吐出口より吐出されるように構成したことを特徴とし、泡創成部で創成された泡ソープが、エアー注入管の外側の泡ソープ放出管を上昇して吐出管の吐出口より吐出されるように、エアー注入管が泡ソープ放出管の内側に挿入された二重管構造に構成されていることを特徴とし、エアーポンプから圧送されるエアーによって、ソープボトル内の気圧が上昇することにより、泡ソープ液が泡ソープ放出管を上昇して、吐出口より吐出されるように構成したことを特徴とし、吐出口近傍に取付けられた赤外線センサーによる近接信号によりモーターが始動されて泡ソープが吐出口より吐出され、該近接信号が遮断されるとモーターが停止して泡ソープの吐出が中止されるように構成したことを特徴とし、且つ、泡ソープ放出管の下端部には泡創成部構成カバーが固定されており、該泡創成部構成カバーの下方は開放されており、また、該泡創成部構成カバーがボトム凹部の内側に非接触状態に配置されて構成されていることを特徴とする泡ソープ自動ディスペンサーを提供する。
【発明の効果】
【００１３】  以上説明したように本発明に係る泡ソープ自動ディスペンサーによれば、洗剤、シャンプー、ハンドソープ、ボディソープ等の発泡性液体を空気と混合させて微粒泡を生成し、該微粒泡を自動吐出することのできる泡ソープ自動ディスペンサーであって、特に、吐出口近傍に取付けられた赤外線センサーによる近接信号によりモーターが始動されて泡ソープが吐出口より吐出され、該近接信号が遮断されるとモーターが停止して泡ソープの吐出が中止されるように構成されているので、使用者が必要な時にのみ吐出口近傍に手をかざせば、その時にのみ泡ソープを自動的に吐出し、不要の場合は吐出が中止される構成であるので、泡ソープを便利に使用することができる。
【図面の簡単な説明】
【００１４】
【図１】  本発明に係る泡ソープ自動ディスペンサーの平面図である。
【図２】  図１のＡ−Ａ線における縦断面図である。
【図３】  図２の部分拡大図である。
【図４】  図３の部分拡大斜視図である。
【発明を実施するための形態】
【００１５】  図１乃至図２に示すように、ソープ液２１を充填したソープボトル２の上部に駆動部ハウジング１が嵌着部１０で嵌着又は螺合されて固定されている。
【００１６】  該駆動部ハウジング２内のホルダー１４には、モーター１２とエアーポンプ１３が固定され、ホルダー１５にはバッテリー１１が固定されている。
【００１７】  駆動部ハウジング２に湿気が侵入しないように、Ｏリング１６が嵌められている。
【００１８】  モーター１２の駆動によってエアーポンプ１３が駆動されると、該エアーポンプ１３より下方に垂下せるエアー注入管１７にエアー２０が圧送される。
【００１９】  図３乃至図４に示すように、ソープボトル２のボトム凹部２２に形成された泡創成部５内の気液混合部５４にて気液混合されて泡ソープ５０が創成され、創成された泡ソープ５０が泡ソープ放出管１９の中を上昇し、吐出管３のメッシュフィルター３１を経て微細化された泡ソープ５０が吐出口３２より吐出される。
【００２０】  泡創成部５で創成された泡ソープ５０が、エアー注入管１７の外側の泡ソープ放出管１９を上昇して吐出管３の吐出口３２より吐出されるように、エアー注入管１７が泡ソープ放出管１９の内側に挿入されて二重管構造に構成されている。
【００２１】  エアーポンプ１３から継続的に圧送されるエアー２０によって、ソープボトル２内の気圧が上昇することにより、泡ソープ５０が泡ソープ放出管１９を上昇して、吐出口３２より吐出されるように構成されている。
【００２２】  吐出口３２近傍に取付けられた赤外線センサー３３による近接信号によりモーター１２が始動されて泡ソープ５０が吐出口より吐出され、該近接信号が遮断されるとモーター１２が停止して泡ソープ５０の吐出が中止されるように構成されている。
【００２３】  泡ソープ放出管１９の下端部には泡創成部構成カバー５１が固定されており、該泡創成部構成カバー５１の下方は下方開放部として開放されており、また、泡創成部構成カバー５１の上部にはエア抜き穴５２が形成されており。気液混合部５４内にある余剰なエアーを押し出し、常に気液混合部５４内にソープ液２１が充満されるように構成されている。
【００２４】  更に、泡創成部構成カバー５１はボトム凹部２２の内側に非接触状態に配置されて構成されている。
【産業上の利用可能性】
【００２５】  本発明は、以上説明したような構成であるので、使用者が必要な時にのみ吐出口近傍に手をかざせば、その時にのみ泡ソープを自動的に吐出し、不要の場合は吐出が中止される構成であるので、泡ソープを便利に使用することができ、洗剤、シャンプー、ハンドソープ、ボディソープ等の発泡性液体を空気と混合させて微粒泡を生成し、該微粒泡を自動吐出することのできる泡ソープ自動ディスペンサーとして幅広く利用できるので、産業上の利用可能性の高いものである。
【符号の説明】
【００２６】  １  駆動部ハウジング
１０  嵌着部
１１  バッテリー
１２  モーター
１３  エアーポンプ
１４  ホルダー
１５  ホルダー
１６  Ｏリング
１７  エアー注入管
１８  逆止弁
１９  泡ソープ放出管
２  ソープボトル
２０  エアー
２１  ソープ液
２２  ボトム凹部
３  吐出管
３１  メッシュフィルター
３２  吐出口
３３  赤外線センサー
５  泡創成部
５０  泡ソープ
５１  泡創成部構成カバー
５２  エア抜き穴
５３  下方開放部
５４  気液混合部
矢印ａ  エアー圧送方向
矢印ｂ  ボトム凹部へのソープ液侵入方向
矢印ｃ  泡ソープ液放出方向
【図１】
2016043227.tif 000003
【図２】
2016043227.tif 000004
【図３】
2016043227.tif 000005
【図４】
2016043227.tif 000006